(57)【要約】【課題】  携帯電話機が記憶している情報を効率的に通知可能とすることを目的とする。【解決手段】  本発明の実施例の一態様によれば、第１の携帯電話機は、該第１の携帯電話機と該第２の携帯電話機との呼設定を要求する信号に所定の情報を含めて送信し、前記第２の携帯電話機は、前記所定の情報を含む前記第１の携帯電話機と該第２の携帯電話機との前記呼設定を要求する信号を受信すると、該第２の携帯電話機が記憶している情報を該第１の携帯電話機と該第２の携帯電話機との呼の切断を要求する信号に含めて送信する、とを特徴とする情報通知方法を用いる。【選択図】  図１４
2010187048.tif 000002
【特許請求の範囲】
【請求項１】
第１の携帯電話機は、該第１の携帯電話機と該第２の携帯電話機との呼設定を要求する信号に所定の情報を含めて送信し、
前記第２の携帯電話機は、前記所定の情報を含む前記第１の携帯電話機と該第２の携帯電話機との前記呼設定を要求する信号を受信すると、該第２の携帯電話機が記憶している情報を該第１の携帯電話機と該第２の携帯電話機との呼の切断を要求する信号に含めて送信する、
ことを特徴とする情報通知方法。
【請求項２】
請求項１において、
前記第２の携帯電話機は、該第２の携帯電話機が記憶している前記第１の携帯電話機についての情報に基づき、該第２の携帯電話機が記憶している情報を該第１の携帯電話機に対し通知すると判定する場合、該第２の携帯電話機が記憶している情報を該第１の携帯電話機との呼の切断を要求する信号に含めて送信し、該第２の携帯電話機が記憶している情報を該第１の携帯電話機に対し通知しないと判定する場合、該第２の携帯電話機が記憶している情報を該第１の携帯電話機との呼の切断を要求する信号に含めずに送信する、
ことを特徴とする情報通知方法。
【請求項３】
請求項１において、
前記第２の携帯電話機が記憶している情報は、該第２の携帯電話機のメールアドレスの情報であることを特徴とする情報通知方法。
【請求項４】
請求項１において、
前記所定の情報はメールアドレスの通知要求であることを特徴とする情報通知方法。
【請求項５】
所定の情報を含む他の携帯電話機との呼設定を要求する信号を受信すると、自身が記憶している情報を該他の携帯電話機との呼の切断を要求する信号に含めて送信する制御を行う制御部を備えたことを特徴とする携帯電話機。
【発明の詳細な説明】
【技術分野】
【０００１】
本発明は、携帯電話機が記憶している情報を通知する情報通知方法に関し、例えば、携帯電話機のメールアドレスを通知する方法に関する。
【背景技術】
【０００２】
携帯電話機等の通信装置のメールアドレスは、ユーザの要求に応じて変更することが可能である。
【０００３】
そこで、ユーザは、メールアドレスの変更に伴い、変更後の新しいメールアドレスを他の携帯電話に対して通知することになる。
【０００４】
例えば、従来技術の第１の方法では、メールアドレスを変更した携帯電話は、自身の電話帳に登録されている他のメールアドレスに対して、メールアドレスを変更した旨の通知を発行することにより、変更後の新しいメールアドレスを通知することができる。
また、例えば特許文献１に開示された第２の方法では、電話番号やメールアドレスを変更した場合、サーバ装置の記憶部（各テーブル）に新旧の電話番号、メールアドレスを登録することにより、変更前の旧電話番号又は旧メールアドレスでサーバ装置の当該記憶部を参照した利用者に、更新後の新電話番号又は新メールアドレスを通知することができる。
【先行技術文献】
【特許文献】
【０００５】
【特許文献１】特開２００３−２２９９５７号公報
【発明の概要】
【発明が解決しようとする課題】
【０００６】
上記第１の方法では、自身の電話帳に登録されているメールアドレスの数に応じて、メールアドレスを変更した旨の通知を発行する（例えば、１００個のメールアドレスが電話帳に登録させている場合、１００通の通知を発行する）ことになり、その数が多くなると携帯電話のユーザの負担が増加してしまう。他のメールアドレスのユーザにとっても、ほとんどメールのやりとりを行わない相手からも一方的に当該通知を受けることとなる。
【０００７】
また、上記第２の方法も、メールアドレスの変更を行う度に、当該変更を行った携帯電話は更新後の新しいメールアドレスをサーバ装置に登録するので、短期間に多数回メールアドレスを変更する場合など、携帯電話のユーザに負担を強いることとなる。
【０００８】
そこで、携帯電話機が記憶している情報を効率的に通知可能とすることを目的とする。
【課題を解決するための手段】
【０００９】
本発明の実施例の一態様によれば、第１の携帯電話機は、該第１の携帯電話機と該第２の携帯電話機との呼設定を要求する信号に所定の情報を含めて送信し、前記第２の携帯電話機は、前記所定の情報を含む前記第１の携帯電話機と該第２の携帯電話機との前記呼設定を要求する信号を受信すると、該第２の携帯電話機が記憶している情報を該第１の携帯電話機と該第２の携帯電話機との呼の切断を要求する信号に含めて送信する、とを特徴とする情報通知方法を用いる。
【発明の効果】
【００１０】
携帯電話機が記憶している情報を効率的に通知することが可能となる。
【図面の簡単な説明】
【００１１】
【図１】本発明の実施例が適用される通信システムを説明する図である。
【図２】本実施例の携帯電話機が記憶する電話帳テーブルの例を示す図である。
【図３】携帯電話機１のメールアドレスが変更された場合を説明する図である。
【図４】携帯電話機５の情報が削除された後の電話帳テーブルを示す図である。
【図５】携帯電話機１が他の携帯電話機に対してメールアドレスを通知する場合の動作を説明する図である。
【図６】本実施例で用いられるＳＥＴＵＰ信号の例を示す図である。
【図７】本実施例で用いられるＤＩＳＣ信号の例を示す図である。
【図８】携帯電話機１が他の携帯電話機に対してメールアドレスを通知しない場合の動作を説明する図である。
【図９】本実施例が適用される通信システムの例を示す図である。
【図１０】携帯電話機の構成例を示す図である。
【図１１】通常の携帯電話機同士の呼接続のシーケンス図である。
【図１２】メールアドレスの通知の要求を含むＳＥＴＵＰ信号の信号フォーマットの例を示す図である。
【図１３】メールアドレスの情報を含むＤＩＳＣ信号の信号フォーマットの例を示す図である。
【図１４】携帯電話機１が他の携帯電話機の要求に応じて自身のメールアドレスを通知する場合のシーケンス図である。
【図１５】携帯電話機１が他の携帯電話機の要求に応じて自身のメールアドレスを通知しない場合のシーケンス図である。
【図１６】携帯電話機１における処理をより詳細に説明するフローチャートである。
【発明を実施するための形態】
【００１２】
以下、本発明の実施の形態について詳細に説明する。
【００１３】
（１）実施例の概要
図１〜図４は、本発明の実施例が適用される通信システムを説明する図である。
【００１４】
図１において、１、３〜５は携帯電話機、２は携帯電話用のメールサーバを示す。なお、後述の図３、５、８においても、図１に対応する携帯電話機及びメールサーバには同一の符号を使用し、説明を省略する。
【００１５】
携帯電話機１は、例えば、電話番号が０９０−２２２２−２２２２、メールアドレスがａａａ＠ｊｐ．ｆｆｆ．ｃｏｍとする。
【００１６】
また、携帯電話機３、携帯電話機４、及び、携帯電話機５は、例えばそれぞれ、携帯電話機１のユーザＡの親友Ｂ、知り合いＣ、及び会社Ｘの上司Ｄが利用する携帯電話機とする。ここで、携帯電話機３、携帯電話機４、及び、携帯電話機５の電話番号はそれぞれ０９０−３３３３−３３３３、０９０−４４４４−４４４４、及び０９０−５５５５−５５５５であり、メールアドレスはそれぞれｂｂｂ＠ｊｐ．ｆｆｆ．ｃｏｍ、ｃｃｃ＠ｊｐ．ｆｆｆ．ｃｏｍ、及びｄｄｄ＠ｊｐ．ｆｆｆ．ｃｏｍである。
【００１７】
携帯電話機３〜５は、それぞれ携帯電話機１のメールアドレスを記憶しており、ａａａ＠ｊｐ．ｆｆｆ．ｃｏｍを宛先として携帯電話機１に対しメールを送信する。
【００１８】
メールサーバ２は、携帯電話機３〜５から送信されたメールの宛先メールアドレス、すなわちａａａ＠ｊｐ．ｆｆｆ．ｃｏｍに基づいて、携帯電話機１に当該メールを転送する。
【００１９】
以上により、携帯電話機１は、携帯電話機３〜５から送信されたメールを受信することができる。
【００２０】
図２は、携帯電話機１が記憶する、他の携帯電話機に関する情報を示すテーブル（以下、電話帳テーブルと呼ぶ場合がある）の例である。
【００２１】
図２には、携帯電話機３〜５についての情報として、それぞれの電話番号が記憶される。また、各電話番号に対応して、メールアドレスの通知／非通知の設定情報が記憶される。
【００２２】
メールアドレスの通知／非通知の設定情報とは、携帯電話機１のメールアドレスを各電話番号に対応する携帯電話機に通知するか否かを示す情報である。メールアドレスの通知／非通知の設定情報は、例えば電話帳の登録時や情報更新時に携帯電話機１のユーザにより設定される。
【００２３】
図２の例では、親友Ｂの携帯電話機３については「メールアドレス通知」が設定され、知り合いＣの携帯電話機４及び会社Ｘの上司Ｄについては「メールアドレス非通知」が設定されている。
【００２４】
なお、電話帳には更に、携帯電話機３〜５のユーザの名前や、各携帯電話機やユーザＢ、Ｃ、Ｄに関する他の情報が電話番号に対応付けて記憶されてもよい。
【００２５】
ここで、例えば、携帯電話１のユーザＡは、会社Ｘから会社Ｙへの異動を契機に携帯電話機１のメールアドレスを変更し、更に携帯電話機１の電話帳テーブルから異動元の会社Ｘの上司Ｄの携帯電話機５に関する情報を削除する場合を想定する。
【００２６】
図３は、携帯電話機１のメールアドレスが、図１のａａａ＠ｊｐ．ｆｆｆ．ｃｏｍから、ｘｘｘ＠ｊｐ．ｆｆｆ．ｃｏｍへと変更された場合を示す。
【００２７】
この携帯電話１のメールアドレスの変更を通知されていない携帯電話機３〜５は、それぞれ携帯電話１に対し変更前のメールアドレスａａａ＠ｊｐ．ｆｆｆ．ｃｏｍを宛先とするメールを送信する。
【００２８】
ところが、携帯電話機１のメールアドレスはｘｘｘ＠ｊｐ．ｆｆｆ．ｃｏｍに変更されている（ａａａ＠ｊｐ．ｆｆｆ．ｃｏｍという宛先は既に存在しない）ため、メールサーバ２は、携帯電話機３〜５から送信された当該メールの宛先メールアドレスに基づいて当該メールを転送することができず、エラーとなる。したがって、携帯電話機１は、携帯電話機３〜５から送信されたメールを受信することができない。
【００２９】
また、メールサーバ２は、ａａａ＠ｊｐ．ｆｆｆ．ｃｏｍというメールアドレスは宛先として誤っていることを通知する情報（以下、誤アドレス通知と呼ぶ場合がある）を携帯電話機３〜５のそれぞれに送信する。この誤アドレス通知を携帯電話機３〜５が受信するにより、親友Ｂ、知り合いＣ、会社Ｘの上司Ｄは、Ａの携帯電話１のメールアドレスが変更されたことを認識する。
【００３０】
なお、図４は、携帯電話機５に関する情報が削除された後の、携帯電話機１が記憶する電話帳テーブルを示す。
【００３１】
〔メールアドレスを通知する場合〕
まず、携帯電話機１が、他の携帯電話機からの要求に応じて、変更後の新しいメールアドレスを当該他の携帯電話機に通知する場合について説明する。
【００３２】
図５において、携帯電話機３は、通常の通話の呼設定の要求に用いるＳＥＴＵＰ信号に、メールアドレスの通知を要求する所定の情報を含めて、携帯電話機１に対して送信する。
【００３３】
具体的には、携帯電話機３は、０９０−３３３３−３３３３及び０９０−２２２２−２２２２がそれぞれ発番号及び着番号として設定されたＳＥＴＵＰ信号に、例えば、ユーザ付加データとして「メールアドレス通知要求」を設定する（図６を参照）。
【００３４】
携帯電話機３から送信された上述のＳＥＴＵＰ信号を受信した携帯電話機１は、ＳＥＴＵＰ信号に設定された発番号に基づいて、図４の電話帳テーブルのメールアドレスの通知／非通知の設定情報を参照する。
【００３５】
携帯電話機３の電話番号に対しては「メールアドレス通知」が設定されているので、携帯電話機１は、通常の通話の呼切断の要求に用いるＤＩＳＣ信号に、自身が記憶している自身のメールアドレスの情報を含めて送信する。
【００３６】
具体的には、携帯電話機１は、０９０−３３３３−３３３３及び０９０−２２２２−２２２２がそれぞれ発番号及び着番号として設定されたＤＩＳＣ信号に、例えば、ユーザ付加データとして新しいメールアドレス「ｘｘｘ＠ｊｐ．ｆｆｆ．ｃｏｍ」を設定する（図７を参照）。
【００３７】
携帯電話３は、携帯電話機１から上述のＤＩＳＣ信号を受信することにより、当該ＤＩＳＣ信号に含まれる携帯電話機１の新しいメールアドレスｘｘｘ＠ｊｐ．ｆｆｆ．ｃｏｍを取得することができる。
【００３８】
〔メールアドレスを通知しない場合〕
次に、携帯電話機１が、他の携帯電話機からの要求に応じて、変更後の新しいメールアドレスを当該他の携帯電話機に通知しない場合について説明する。
【００３９】
図８において、携帯電話機４及び携帯電話機５は、図５の場合と同様に、通常の通話の呼設定に用いるＳＥＴＵＰ信号にメールアドレスの通知を要求する所定の情報（「メールアドレス通知要求」）を含めて、携帯電話機１に対して送信する。
【００４０】
携帯電話機４及び５からそれぞれ送信されたＳＥＴＵＰ信号を受信した携帯電話機１は、ＳＥＴＵＰ信号に設定された発番号に基づいて、図４の電話帳テーブルのメールアドレスの通知／非通知の設定情報を参照する。
【００４１】
携帯電話機４の電話番号に対しては「メールアドレス非通知」が設定されているので、携帯電話機１は、通常の通話の呼切断の要求に用いるＤＩＳＣ信号を携帯電話機４に送信することにより、切断処理を実行する。
【００４２】
また、携帯電話機５に関する情報は未登録（既に電話帳テーブルから削除済み）なので、携帯電話機１は同様に、ＤＩＳＣ信号を携帯電話機４に送信することにより、切断処理を実行する。
【００４３】
以上によれば、他の携帯電話機からのメールアドレスの通知の要求に応じて、自携帯電話機のメールアドレスを通知することができる。
【００４４】
また、メールアドレスの通知の要求及び、メールアドレスの通知は、携帯電話機において通常の通話の呼接続・切断に用いられる信号を利用して送受信することができる。
【００４５】
さらに、携帯電話機の電話帳テーブルに設定されているメールアドレス通知／非通知の設定情報に基づいて、携帯電話機毎に、メールアドレスを通知し、又は通知しないことができる。
【００４６】
（２）通信システムの例
図９は、本実施例が適用される通信システムの例を示す。
【００４７】
図において、１０は携帯電話機、２０ａは無線基地局、３０は基地局制御装置（例えば、Ｒａｄｉｏ  Ｎｅｔｗｏｒｋ  Ｃｏｎｔｒｏｌｌｅｒ：ＲＮＣ）、４０は加入者パケット交換機、５０は中継パケット交換機、６０はゲートウェイ、７０は加入者交換機、８０は中継交換機、９０は関門交換機、を示す。
【００４８】
携帯電話機１０は在圏するセルを形成する無線基地局２０と無線信号の送受信を行う。
【００４９】
携帯電話機１０から送信される他の携帯電話機宛てのメール（パケットデータ）は無線基地局２０を介して基地局制御装置３０に送られる。当該パケットデータは、加入者パケット交換機４０、及び中継パケット交換機を介して、本実施例で用いられるメールサーバを含むゲートウェイ６０に送られる。メールサーバは、インターネット網を介し、宛先である他の携帯電話機が通信を行うネットワークへ当該メールを転送する。
【００５０】
一方、携帯電話機１０と他の携帯電話機との呼接続（ＳＥＴＵＰ信号やＤＩＳＣ信号等のやり取り）は、無線基地局２０、基地局制御装置３０、加入者交換機７０、中継交換機８０、関門交換機９０を含む通信網を介して行われる。
【００５１】
本実施例においては説明の簡略化のため、メール及び呼設定に用いる信号の送受信は、それぞれ携帯電話機−メールサーバ間及び携帯電話機間で直接行われているように示しているが、実際は無線基地局や図９に示すような上位局を介して行われるものとする。
【００５２】
（３）携帯電話機の構成
図１０は、本実施例に用いられる携帯電話機の構成例である。
【００５３】
図において、１１は無線通信部、１２は制御部、１３は記憶部、１４は表示部、１５は入力部を示す。
【００５４】
無線通信部１１は、無線信号の送受信の処理を行う。本実施例において、無線通信部１１は、他の携帯電話機から送信されたデータ信号やＳＥＴＵＰ信号、ＤＩＳＣ信号を含む無線信号を受信する。
【００５５】
制御部１２は、無線制御部１２ａ、呼制御部１２ｂ、情報通知制御部１２ｃ、記憶管理部１２ｄを機能ブロックとして含む。
【００５６】
無線制御部１２ａは、無線通信部１１におけるデータ信号や各種制御信号を含む無線信号の送受信を制御する。
【００５７】
呼制御部１２ｂは、呼接続に用いられる信号、例えば、呼設定を要求するＳＥＴＵＰ信号や、呼の切断を要求するＤＩＳＣ信号の送受信を制御する。
【００５８】
情報通知判定部１２ｃは、記憶部１３が記憶している情報を他の携帯電話機に通知するか否かの判定を行う。
【００５９】
記憶管理部１２ｄは、記憶部１３への情報の書き込み及び記憶部１３からの情報の読み出しを行う。
【００６０】
制御部１２に含まれる上記各機能ブロックの制御、処理は、例えばＣＰＵにより実現される。なお、本実施例における制御部１２の動作については後述する。
【００６１】
記憶部１３は、自身の携帯電話機の電話番号やメールアドレス、ユーザが所有するパソコンのアドレス情報、ユーザの個人情報などを記憶する。
【００６２】
また、記憶部１３は、例えば、図２や図４に示すような電話帳テーブルに、他の携帯電話機に関する情報を記憶する。本実施例では、携帯電話機の電話番号と、メールアドレスの通知／非通知の設定情報とを対応づけて電話帳テーブルに記憶する。電話帳テーブルには、メールアドレスの通知／非通知の設定情報の他に、携帯電話機のユーザの個人情報などを、電話番号と対応付けて記憶することができる。
【００６３】
表示部１４は、ディスプレイを備え、制御部１２の制御に応じて情報を画面表示する。
【００６４】
入力部１５は、テンキーや操作キーを備え、ユーザの入力操作を受け付ける。
【００６５】
（４）メールアドレス通知／非通知の設定方法について
メールアドレスの通知／非通知の情報は、ユーザが他の携帯電話機に関する情報を電話帳テーブルに登録する際、又は当該情報を更新する際に設定することができる。
【００６６】
例えば、他の携帯電話機の電話番号を新規登録又は更新登録する際、登録画面にメールアドレスの通知／非通知を選択するダイアログを表示部１４に表示し、ユーザがいずれかを選択して入力部１５から入力するようにする。
【００６７】
ある電話番号についてメールアドレスの通知が選択されると、電話帳テーブルの当該電話番号にフラグを立てる。なお、フラグは、メールアドレスの非通知が選択された電話番号について立てることとしてもよい。
【００６８】
（５）本実施例に用いられる信号について
本実施例では、他の携帯電話機へのメールアドレスの通知の要求や当該要求に対する応答に、通常の呼接続に用いられるＳＥＴＵＰ信号及びＤＩＳＣ信号を利用する。
【００６９】
図１１は、通常の呼接続のシーケンスの例である。なお、簡単のため上位局との信号のやりとりの部分は省略して示している。
【００７０】
発信側の携帯電話機から着信側の携帯電話機に対し、呼設定を要求するＳＥＴＵＰ（信号）が送信される（Ｓ１）。このＳＥＴＵＰには、発信側の携帯電話機の電話番号及び着信側の携帯電話機の電話番号がそれぞれ発番号及び着番号として設定される。
【００７１】
ＳＥＴＵＰ信号に対して、着信側の携帯電話機は、呼処理中を示すＣＡＬＬ  ＰＲＯＣ及び呼び出し中を示すＡＬＡＲＴを送信する（Ｓ２、Ｓ３）。
【００７２】
着信側の携帯電話機では着信による鳴動が発生し（Ｓ４）、応答ボタンを押し下される（Ｓ５）。
【００７３】
発信側の携帯電話機が、応答を示すＣＡＬＬ  ＣＯＮＮを受信し（Ｓ６）、両携帯電話機間での通話が開始される（Ｓ７）。
【００７４】
一方の携帯電話機（図１１では着信側の携帯電話機）は、携帯電話機の切断ボタンが押し下し（Ｓ８）、呼の切断を要求するＤＩＳＣ（信号）を送信する（Ｓ９）。
【００７５】
図１２は、本実施例で用いられるメールアドレスの通知の要求を含むＳＥＴＵＰ信号の信号フォーマットの例を示す。
【００７６】
本実施例でメールアドレスの通知を要求する情報（所定の情報）は、例えば、３ＧＰＰ（３ｒｄ  Ｇｅｎｅｒａｔｉｏｎ  Ｐａｒｔｎｅｒｓｈｉｐ  Ｐｒｏｊｅｃｔ）のＬｏｃｋｉｎｇ  Ｓｈｉｆｔ  Ｐｒｏｃｅｄｕｒｅ（ＴＳ２４．００８  １０．５．４．２）に規定される、ＳＥＴＵＰ信号のユーザ定義フィールド（Ｌｏｃｋｉｎｇ  ｓｈｉｆｔ：ｃｏｄｅｓｅｔ７）を利用して送信される。
【００７７】
例えば、上記の例で、携帯電話機３〜５が携帯電話機１が記憶するメールアドレスの通知を要求するとき、携帯電話機３〜５は、ＳＥＴＵＰ信号のｃｏｄｅｓｅｔ７の領域に、メールアドレスの通知を要求する識別子“ＭＡＩＬ＿ＡＤＤＲＥＳＳ＿ＲＥＱＵＥＳＴ”を設定して携帯電話機１に送信する。
【００７８】
一方、図１３は、メールアドレスの通知の要求を含むＳＥＴＵＰ信号に対して送信されるＤＩＳＣ信号の信号フォーマットの例を示す。
【００７９】
この場合も、ＤＩＳＣ信号のｃｏｄｅｓｅｔ７の領域に、情報を示す識別子が設定される。
【００８０】
例えば、上記の例で、携帯電話機１が携帯電話機３に対しメールアドレスを通知する場合は、携帯電話機１は、ｃｏｄｅｓｅｔ７の領域にメールアドレスの情報を示す識別子“ｘｘｘ＠ｊｐ．ｆｆｆ．ｃｏｍ”を設定して携帯電話機３に送信する。
【００８１】
一方、携帯電話機１が携帯電話機４及び５に対してメールアドレスを通知しない場合は、携帯電話機１は、ｃｏｄｅｓｅｔ７の領域に、識別子“０ｘ００”を設定して携帯電話機４及び５に送信する。
【００８２】
（５）メールアドレスの通知フロー
図１４〜１６は本実施例の処理フローを示す図である。
【００８３】
図１４は、上記の例で、携帯電話機１が携帯電話機３の要求に応じて自身のメールアドレスを通知する場合のシーケンスを示す。
【００８４】
携帯電話機３は、携帯電話機１のメールアドレスの通知の要求（所定の情報）をＳＥＴＵＰ信号に含めて送信する（Ｓ９）。
【００８５】
なお、この際、携帯電話機３のユーザは、例えば、表示部１４のメニュー画面に表示されるメールアドレスの通知を要求するモードを選択してもよいし、メールサーバ３からの誤メール通知の受信に伴って表示部１４に表示されるダイアログからメールアドレスの通知要求を選択してもよい。
【００８６】
携帯電話機１の制御部１２は、受信したＳＥＴＵＰ信号に含まれる情報と記憶部１３に記憶されている情報とに基づいて、ＳＥＴＵＰ信号の発番号の携帯電話機３に対するメールアドレスの通知／非通知を判定する（Ｓ１０）。
【００８７】
携帯電話機１は、携帯電話機３に対し、自身が記憶部１３に記憶する携帯電話機１のメールアドレスｘｘｘ＠ｊｐ．ｆｆｆ．ｃｏｍ（図１３ではメールアドレスＡと表示）の情報をＤＩＳＣ信号に含めて送信する（Ｓ１１）。
【００８８】
携帯電話機１のメールアドレスの情報を含むＤＩＳＣ信号を受信した携帯電話機３は、自身の記憶部１３の電話帳テーブルに、携帯電話機１の電話番号等の情報と対応付けてｘｘｘ＠ｊｐ．ｆｆｆ．ｃｏｍを新しいメールアドレスとして登録（記憶）する、又は、既に登録されているメールアドレスの情報（ａａａ＠ｊｐ．ｆｆｆ．ｃｏｍ）に上書きすることができる（Ｓ１２）。なお、メールアドレスの登録による電話帳テーブルの更新は、ＤＩＳＣ信号の受信に応じて自動で行われてもよいし、「メールアドレスを登録しますか」等のメッセージダイアログを表示部１４に表示して入力部１５から選択するようにしてもよい。
【００８９】
また、携帯電話機３は通知されたメールアドレスｘｘｘ＠ｊｐ．ｆｆｆ．ｃｏｍを宛先として携帯電話機１に対しメールを送信し、携帯電話機１は当該メールを受信することが可能となる（Ｓ１３）。
【００９０】
一方、図１５は、上記の例で、携帯電話機１が携帯電話機４及び５の要求に応じて自身のメールアドレスを通知しない場合のシーケンスを示す。
【００９１】
携帯電話機４及び５は、携帯電話機１のメールアドレスの通知の要求（所定の情報）をＳＥＴＵＰ信号に含めて送信する（Ｓ１４）。
【００９２】
携帯電話機１の制御部１２は、受信したＳＥＴＵＰ信号に含まれる情報と記憶部１３に記憶されている情報とに基づいて、ＳＥＴＵＰ信号の発番号の携帯電話機３に対するメールアドレスの通知／非通知を判定する（Ｓ１５）。
【００９３】
携帯電話機１は、携帯電話機４及び５に対し、ＤＩＳＣ信号に呼の切断に用いる情報（例えば上記“０ｘ００”）を含めて送信する。
【００９４】
図１６は、図１４のＳ１０、１１及び図１５のＳ１５、１６での携帯電話機１における処理フローを示すフローチャートである。以下、図１０を参照して図１６に示すフローチャートの各ステップを説明する。
【００９５】
無線通信部１１は、メールアドレスの通知を要求する情報（所定の情報を含む）ＳＥＴＵＰ信号を受信する（Ｓ１７）。ここで、制御部１２の呼制御部１２ｂにおいて、受信したＳＥＴＵＰ信号に含まれる情報に基づいて、当該ＳＥＴＵＰ信号がメールアドレスの通知を要求する信号であるか、通常の呼設定を要求する信号であるかが識別される。なお、呼制御部１２ｂは、通常の呼設定を要求する信号に対しては図１１に示すような通常の呼接続処理を実行する。
【００９６】
制御部１２の記憶管理部１２ｄは、記憶部１３を参照し、Ｓ１７で受信したＳＥＴＵＰ信号に設定されている発番号が電話帳テーブルに記憶されているか否かを判定する（Ｓ１８）。
【００９７】
記憶管理部１２ｄが、当該発番号が電話帳テーブルに記憶されていないと判定する場合（Ｓ１８でＮＯ）、呼制御部１２ｂは、呼の切断を要求する情報をＤＩＳＣ信号に含めて送信する制御を行う（Ｓ１９）。上記の例で携帯電話機５の場合がこれに該当する。
【００９８】
記憶管理部１２ｄが、当該発番号が電話帳テーブルに記憶されていると判定する場合（Ｓ１８でＹＥＳ）、制御部１２の情報通知判定部１２ｃは、当該発番号に対してメールアドレスを通知するか否かを判定する（Ｓ２０）。判定は、記憶部１３から記憶管理部１２ｄが読み出した電話帳テーブルの、当該発番号に対応するメールアドレスの通知／非通知の設定情報に基づいて行う。
【００９９】
情報通知判定部１２ｃが、当該発番号に対して「メールアドレス通知」が設定されていると判定する場合（Ｓ２０でＹＥＳ）、呼制御部１２ｂは、記憶部１３に記憶されている携帯電話機１のメールアドレスの情報を含めたＤＩＳＣ信号を送信する制御を行う（Ｓ２１）。上記の例で携帯電話機３の場合がこれに該当する。
【０１００】
一方、情報通知判定部１２ｃが、当該発番号に対して「メールアドレス非通知」が設定されていると判定する場合（Ｓ２０でＮＯ）、呼制御部１２ｂは、呼の切断を要求する情報をＤＩＳＣ信号に含めて送信する制御を行う（Ｓ１９）。上記の例で携帯電話機４の場合がこれに該当する。
【０１０１】
以上のフローにより、携帯電話機は、他の携帯電話機から受信する所定の情報を含む信号の受信に応じて、自身が記憶している情報を通知することができる。
【０１０２】
（６）その他
なお、携帯電話機が他の携帯電話機に対して通知する情報は、上記の例に示した当該携帯電話機のメールアドレスに限られない。
【０１０３】
本実施例は、携帯電話機が記憶している情報（例えば、自携帯電話機のメールアドレスや、携帯電話機のユーザが所有するパソコンのアドレス情報など）について適用することができる。
【０１０４】
本実施例の携帯電話機は、他の携帯電話機に対し、ＳＥＴＵＰ信号に取得したい情報を要求する所定の情報を含めて（所定の識別子として設定して）送信することができる。また、当該所定の情報を含むＳＥＴＵＰ信号を受信した携帯電話機は、当該ＳＥＴＵＰ信号に設定された発番号に対し、要求された情報をＤＩＳＣ信号に含めて（所定の識別子として設定して）送信することにより通知し、又は通知しないことができる。
（付記１）
第１の携帯電話機は、該第１の携帯電話機と該第２の携帯電話機との呼設定を要求する信号に所定の情報を含めて送信し、
前記第２の携帯電話機は、前記所定の情報を含む前記第１の携帯電話機と該第２の携帯電話機との前記呼設定を要求する信号を受信すると、該第２の携帯電話機が記憶している情報を該第１の携帯電話機と該第２の携帯電話機との呼の切断を要求する信号に含めて送信する、
ことを特徴とする情報通知方法。
（付記２）
付記１において、
前記第２の携帯電話機は、該第２の携帯電話機が記憶している前記第１の携帯電話機についての情報に基づき、該第２の携帯電話機が記憶している情報を該第１の携帯電話機に対し通知すると判定する場合、該第２の携帯電話機が記憶している情報を該第１の携帯電話機との呼の切断を要求する信号に含めて送信し、該第２の携帯電話機が記憶している情報を該第１の携帯電話機に対し通知しないと判定する場合、該第２の携帯電話機が記憶している情報を該第１の携帯電話機との呼の切断を要求する信号に含めずに送信する、
ことを特徴とする情報通知方法。
（付記３）
付記１において、
前記第２の携帯電話機が記憶している情報は、該第２の携帯電話機のメールアドレスの情報であることを特徴とする情報通知方法。
（付記４）
付記１において、
前記所定の情報はメールアドレスの通知要求であることを特徴とする情報通知方法。
（付記５）
所定の情報を含む他の携帯電話機との呼設定を要求する信号を受信すると、自身が記憶している情報を該他の携帯電話機との呼の切断を要求する信号に含めて送信する制御を行う制御部を備えたことを特徴とする携帯電話機。
（付記６）
付記５において、
前記制御部は、更に、他の携帯電話機に対し、自身と該他の携帯電話機との呼設定を要求する信号に所定の情報を含めて送信する制御を行うことを特徴とする携帯電話機。
【符号の説明】
【０１０５】
１、３、４、５  携帯電話機
２  メールサーバ
１０  携帯電話機
２０  無線基地局
３０  基地局制御装置
４０  加入者パケット交換機
５０  中継パケット交換機
６０  ゲートウェイ
７０  加入者交換機
８０  中継交換機
９０  関門交換機
１１  無線通信部
１２  制御部
１２ａ  無線制御部
１２ｂ  呼制御部
１２ｃ  情報通知判定部
１２ｄ  記憶管理部
１３  記憶部
１４  表示部
１５  入力部
【図１】
2010187048.tif 000003
【図２】
2010187048.tif 000004
【図３】
2010187048.tif 000005
【図４】
2010187048.tif 000006
【図５】
2010187048.tif 000007
【図６】
2010187048.tif 000008
【図７】
2010187048.tif 000009
【図８】
2010187048.tif 000010
【図９】
2010187048.tif 000011
【図１０】
2010187048.tif 000012
【図１１】
2010187048.tif 000013
【図１２】
2010187048.tif 000014
【図１３】
2010187048.tif 000015
【図１４】
2010187048.tif 000016
【図１５】
2010187048.tif 000017
【図１６】
2010187048.tif 000018